(57)【要約】【課題】運転席に座ったオペレータの足に直接に空調装置からの温風、または冷風を吹き付けることなく、このオペレータの足を暖め、または冷やすことができる建設機械の冷暖房装置の提供。【解決手段】油圧ショベルの運転室２内の運転席２ｂの床２ａ上に設けられ、運転席２ｂに座ったオペレータの足が載置され、内部に空調装置１１から吐き出される温風または冷風が流通可能な空間部１３ｄを有する足載置ブロック１３と、空調装置１１の吐き出し口１１ａと足載置ブロック１３とを接続し、空調装置１１から吐き出された温風または冷風をこの足載置ブロック１３を暖める温熱、または冷やす冷熱として足載置ブロック１３の空間部１３ｄに供給するダクト１２とを備えた構成にしてある。足載置ブロック１３は、運転席２ｂに座ったオペレータの足が載置される平坦部１３ｃと、この平坦部１３ｃの全周縁に設けられる立ち上がり部１３ｂとを有する皿形状に形成してある。【選択図】図２
2009120152.tif 000002
【特許請求の範囲】
【請求項１】
建設機械の運転室内に備えられ、この運転席内に設けられる運転席に座ったオペレータの足を暖め、または冷やすことが可能な建設機械の冷暖房装置において、
上記運転席の床部分に設けられ、上記運転席に座ったオペレータの足が載置される足載置ブロックと、当該建設機械で生成された熱媒体を上記足載置ブロックに、この足載置ブロックを暖める温熱、または冷やす冷熱として供給する熱媒体供給手段とを備えたことを特徴とする建設機械の冷暖房装置。
【請求項２】
上記請求項１記載の建設機械の冷暖房装置において、
熱媒体が、空調装置から吐き出される温風または冷風を含み、
上記足載置ブロックが、内部に上記空調装置から吐き出される温風または冷風が流通可能な空間部を有し、
上記熱媒体供給手段が、上記空調装置の吐き出し口と上記足載置ブロックとを接続し、上記空調装置から吐き出される温風または冷風を上記足載置ブロックの上記空間部に導くダクトを含むことを特徴とする建設機械の冷暖房装置。
【請求項３】
上記請求項２記載の建設機械の冷暖房装置において、
上記足載置ブロックに接続され、この足載置ブロックの上記空間部に導かれた温風または冷風を上記運転室の前ガラスに吹き付け可能な吹き出し口を有する別のダクトを備えたことを特徴とする建設機械の冷暖房装置。
【請求項４】
上記請求項１記載の建設機械の冷暖房装置において、
上記熱媒体が、温水または冷水を含み、
上記熱媒体供給手段が、上記温水または冷水を導く温冷水配管を含み、
上記足載置ブロックが、上記温冷水配管の一部を収容可能な収容部を有することを特徴とする建設機械の冷暖房装置。
【請求項５】
上記請求項１〜４のいずれか１項記載の建設機械の冷暖房装置において、
上記足載置ブロックを上記ダクトに対して着脱可能に設けるとともに、
上記足載置ブロックを、上記運転席に座ったオペレータの足が載置される平坦部と、この平坦部の全周縁に設けられる立ち上がり部とを有する皿形状に形成したことを特徴とする建設機械の冷暖房装置。
【発明の詳細な説明】
【技術分野】
【０００１】
本発明は、油圧ショベル等の建設機械の運転室内に備えられ、この運転席内に設けられる運転席に座ったオペレータの足を暖め、または冷やすことが可能な建設機械の冷暖房装置に関する。
【背景技術】
【０００２】
この種の従来技術として、特許文献１，２に示されるものがある。特許文献１に示される従来技術は、油圧ショベルの運転室内に配置される空調装置に、空洞形状のボックスを介して接続される足元用ダクトを備え、空調装置で生成された温風または冷風を、足元用ダクトの吹き出し口から、運転席に座ったオペレータの足元に吹き付けるようにしてオペレータの足を暖め、または冷やすようになっている。
【０００３】
また、特許文献２に示される従来技術も同様に、空調ユニットに接続されるフェイス・フートダクトを備え、空調ユニットで生成された温風または冷風を、フェイス・フートダクトのフート吹出口から、運転席に座ったオペレータの足元に吹き付けるようにしてオペレータの足を暖め、または冷やすようになっている。
【特許文献１】特開平７−１８６６９３号公報
【特許文献２】特開２００６−１１７０２５公報
【発明の開示】
【発明が解決しようとする課題】
【０００４】
上述した特許文献１，２に示される従来技術のいずれも、運転席に座ったオペレータの足に直接に温風、または冷風を吹きつける構成になっていることから、オペレータに不快感を与えることがあった。
【０００５】
本発明は、上述した従来技術における実状からなされたもので、その目的は、運転席に座ったオペレータの足に直接に空調装置からの温風、または冷風を吹き付けることなく、このオペレータの足を暖め、または冷やすことができる建設機械の冷暖房装置を提供することにある。
【課題を解決するための手段】
【０００６】
この目的を達成するために、本発明は、建設機械の運転室内に備えられ、この運転席内に設けられる運転席に座ったオペレータの足を暖め、または冷やすことが可能な建設機械の冷暖房装置において、上記運転席の床部分に設けられ、上記運転席に座ったオペレータの足が載置される足載置ブロックと、当該建設機械で生成された熱媒体を上記足載置ブロックに、この足載置ブロックを暖める温熱、または冷やす冷熱として供給する熱媒体供給手段とを備えたことを特徴としている。
【０００７】
このように構成した本発明は、当該建設機械で生成された熱媒体が熱媒体供給手段によって足載置ブロックに供給され、その熱媒体によって足載置ブロックが暖められ、または冷やされる状態となり、運転席に座ったオペレータはこのように暖められ、または冷やされた足載置ブロックの上に足を載置することにより、足載置ブロックの保有する温熱、または冷熱がオペレータの足に伝えられ、自身の足が暖められ、または冷やされる。すなわち本発明は、運転席に座ったオペレータの足に直接に温風または冷風を吹き付けることなく、このオペレータの足を暖め、または冷やすことができる。
【０００８】
また、本発明は、上記建設機械の冷暖房装置において、熱媒体が、空調装置から吐き出される温風または冷風を含み、上記足載置ブロックが、内部に上記空調装置から吐き出される温風または冷風が流通可能な空間部を有し、上記熱媒体供給手段が、上記空調装置の吐き出し口と上記足載置ブロックとを接続し、上記空調装置から吐き出される温風または冷風を上記足載置ブロックの上記空間部に導くダクトを含むことを特徴としている。
【０００９】
このように構成した本発明は、空調装置から吐き出された温風、または冷風が、ダクトによって足載置ブロックの内部の空間部に導かれ、これらの温風または冷風によって足載置ブロックが暖められ、または冷やされる。
【００１０】
また、本発明は、上記建設機械の冷暖房装置において、上記足載置ブロックに接続され、この足載置ブロックの上記空間部に導かれた温風または冷風を上記運転室の前ガラスに吹き付け可能な吹き出し口を有する別のダクトを備えたことを特徴としている。
【００１１】
このように構成した本発明は、足載置ブロックの空間部に導かれた温風または冷風が、この足載置ブロックに接続される別のダクトの吹き出し口から運転室の前ガラスに吹き付けられ、これによりデフロスト性能を確保することができる。
【００１２】
また、本発明は、上記建設機械の冷暖房装置において、上記熱媒体が、温水または冷水を含み、上記熱媒体供給手段が、上記温水または冷水を導く温冷水配管を含み、上記足載置ブロックが、上記温冷水配管の一部を収容可能な収容部を有することを特徴としている。
【００１３】
このように構成した本発明は、温冷水配管によって導かれた温水または冷水によって足載置ブロックが暖められ、または冷やされた状態となり、運転席に座ったオペレータはこのように温められ、または冷やされた足載置ブロックの上に足を載置することにより、足載置ブロックの保有する温熱、または冷熱がオペレータの足に伝えられ、自身の足が暖められ、または冷やされる。
【００１４】
また、本発明は、上記建設機械の冷暖房装置において、上記足載置ブロックを上記ダクトに対して着脱可能に設けるとともに、上記足載置ブロックを、上記運転席に座ったオペレータの足が載置される平坦部と、この平坦部の全周縁に設けられる立ち上がり部とを有する皿形状に形成したことを特徴としている。
【００１５】
このように構成した本発明は、足載置ブロックの平坦部が保有する温熱または冷熱によって運転席に座ったオペレータの足が暖められ、または冷やされるとともに、当該建設機械の作業に伴って運転室内に侵入した土砂、塵埃等が皿形状から成る足載置ブロックの平坦部に堆積したときには、この足載置ブロックをダクトから取り外すことにより、足載置ブロック上の土砂、塵埃等を容易に運転室の外部に捨てることができる。
【発明の効果】
【００１６】
本発明は、運転席の床部分に設けられ、運転席に座ったオペレータの足が載置される足載置ブロックと、当該建設機械で生成された熱媒体を足載置ブロックに、この足載置ブロックを暖める温熱、または冷やす冷熱として供給する熱媒体供給手段とを備えたことから、運転席に座ったオペレータは足載置ブロックの上に足を載置することにより、足載置ブロックの保有する温熱、または冷熱がオペレータの足に伝えられて自身の足が暖められ、または冷やされ、すなわち、運転席に座ったオペレータの足に直接に温風、または冷風を吹き付けることなく、このオペレータの足を暖め、または冷やすことができる。これにより従来生じがちであった空調装置からの温風または冷風の足への吹き付けによるオペレータの不快感を除くことができ、当該建設機械を駆動する操作を快適に行なわせることができる。
【発明を実施するための最良の形態】
【００１７】
以下，本発明に係る建設機械の冷暖房装置を実施するための最良の形態を図に基づいて説明する。
【００１８】
図１は本発明に係る冷暖房装置が備えられる建設機械の一例として挙げた油圧ショベルを示す側面図である。
【００１９】
この図１に示す油圧ショベルは、走行体１と、この走行体１上に配置され、運転室２を有する旋回体３と、この旋回体３に上下方向の回動可能に取り付けられるフロント作業機４とを備えている。フロント作業機４は、例えば旋回体３に取り付けられるブーム５と、このブーム５の先端に取り付けられるアーム６と、このアーム６の先端に取り付けられるバケット７とを含んでいる。また、例えばブーム５を駆動するブームシリンダ８、アーム６を駆動するアームシリンダ９、バケット７を駆動するバケットシリンダ１０を含んでいる。
【００２０】
このように構成される油圧ショベルでは、走行体１を走行させ、あるいは旋回体２を旋回させ、あるいはフロント作業機４を駆動させることにより、土砂の掘削作業等の各種の作業を実施することができる。
【００２１】
図２は本発明に係る冷暖房装置の第１実施形態を示す側面図、図３は図２に示す第１実施形態の平面図、図４は第１実施形態の要部分解斜視図、図５は図３のＡ−Ａ断面拡大図である。
【００２２】
この第１実施形態に係る冷暖房装置は、図２に示すように、油圧ショベルの運転室２内に備えられる運転席２ｂの床２ａ部分、例えば床２ａ上に配置され、運転席２ｂに座ったオペレータの足が載置される足載置ブロック１３と、この油圧ショベルで生成された熱媒体を足載置ブロック１３に、この足載置ブロック１３を暖める温熱、または冷やす冷熱として供給する熱媒体供給手段を備えている。
【００２３】
熱媒体は、例えば運転室２内に配置される空調装置１１から吐き出される温風、または冷風であり、熱媒体供給手段は、例えば図３，４に示すように、空調装置１１の吐き出し口１２ａと足載置ブロック１３とを接続し、空調装置１１から吐き出される温風または冷風を足載置ブロック１３に導くダクト１２から成っている。
【００２４】
図４に示すように、ダクト１２は、空調装置１１の吐き出し口１１ａに接続される吸い込み口１２ａを有するとともに、このダクト１２の上面に形成され、上方が開口し足載置ブロック１３に接続される接続突起１２ｃを備えている。また、運転室２の床２ａにボルトによって固定されるブラケット１２ｂも備えている。
【００２５】
足載置ブロック１３は、熱伝導率の高い金属、例えば鉄板等から成り、図３，４，５に示すように、ダクト１２の接続突起１２ｃが嵌入される穴１３ａを有するとともに、接続突起１２ｃの上方の開口と連通する空間部１３ｄ、すなわち空調装置１１から吐き出される温風または冷風が流通可能な空間部１３ｄを内部に有している。この足載置ブロック１３は、例えばダクト１２に着脱可能になっている。また、この足載置ブロック１３は、運転席２ｂに座ったオペレータの足が載置される平坦部１３ｃと、この平坦部１３ｃの全周縁に設けられる空洞状の立ち上がり部１３ｂとを有する皿形状に形成してあるとともに、運転席２ｂの左右方向に沿うそれぞれの側面部分に上述した空間部１３ｄに連通する開口部１３ｅを形成してある。平坦部１３ｃの下方部分と、空洞状の立ち上がり部１３ｂの内部とによって、上述した温風または冷風が流通可能な空間部１３ｄが形成されている。
【００２６】
このように構成した第１実施形態は、フロント作業機４等の駆動による掘削作業等の行なうために、運転席２ｂにオペレータが座り、足を足載置ブロック１３に乗せた際に、空調装置１１から吐き出される温風または冷風が、ダクト１２の接続突起１２ｃを介して足載置ブロック１３の空間部１３ｄに導かれ、温風または冷風による温熱または冷熱がこの足載置ブロック１３の平坦部１３ｃに伝えられる。すなわち、足載置ブロック１３が温風または冷風によって暖められ、または冷やされた状態となり、運転席２ｂに座ったオペレータはこのように暖められ、または冷やされた足載置ブロック１３の上に足を載せることにより、足載置ブロック１３の保有する温熱、または冷熱がオペレータの足に伝えられ、自身の足が暖められ、または冷やされる。つまり、運転席２ｂに座ったオペレータの足に直接に空調装置１１からの温風または冷風を吹き付けることなく、このオペレータの足を暖め、または冷やすことができる。これにより空調装置１１からの温風または冷風の足への吹き付けによるオペレータの不快感を除くことができ、この油圧ショベルを駆動する操作を快適に行なわせることができる。
【００２７】
なお、足載置ブロック１３の空間部１３ｄに導かれ、平坦部１３ｃを暖め、または冷やした温風または冷風は、足載置ブロック１３の開口部１３ｅから運転室２内に放出される。これにより、運転室２内を暖め、または冷やすことができ、オペレータに快適感を与えることができる。
【００２８】
また、この第１実施形態は、この油圧ショベルで行なわれる作業に伴って運転室２内に侵入した土砂、塵埃等が皿形状から成る足載置ブロック１３に堆積したときには、足載置ブロック１３をダクト１２から取り外すことにより、この足載置ブロック１３上の土砂、塵埃等を容易に運転室２の外部に捨てることができる。これにより、足載置ブロック１３の清掃を簡単に行なうことができる。
【００２９】
図６は本発明の第２実施形態を示す平面図、図７は第２実施形態の要部分解斜視図である。
【００３０】
この第２実施形態は、例えば足載置ブロック１３の両側面には、第１実施形態で形成されていた開口部１３ｅを設けず、また足載置ブロック１３には、第１実施形態で形成されていた穴１３ａの他に、先端側にも穴１３ｆを形成してある。
【００３１】
また、足載置ブロック１３に接続され、この足載置ブロック１３の空間部１３ｄに導かれた温風または冷風を運転室２の前ガラスに吹き付け可能な別のダクト１４を備えた構成にしてある。この別のダクト１４は、図７にも示すように、上方が開口し足載置ダクト１３の上述の穴１３ｆに嵌入され、足載置ブロック１３の空間部１３ｄに連通する接続突起１４ａを有するとともに、この別のダクト１４に導かれた温風または冷風を前ガラスに吹き付ける吹き出し口１４ｃを有する。さらに、運転室２の床２ａにボルトによって固定されるブラケット１４ｂも備えている。その他の構成は、上述した第１実施形態と同等である。
【００３２】
このように構成した第２実施形態は、足載置ブロック１３の空間部１３ｄに導かれた空調装置１１からの温風または冷風によって、運転席２ｂに座ったオペレータの足に直接に温風または冷風を吹き付けることなく、このオペレータの足を暖め、または冷やすことができるとともに、足載置ブロック１３に導かれた温風または冷風が接続突起１４ａを介して別のダクト１４に導かれ、これらの温風または冷風が運転室２の前ガラスに吹き付けられる。これによりデフロスト性能を確保することができる。
【００３３】
図８は本発明の第３実施形態を示す平面図、図９は図８のＢ−Ｂ断面拡大図である。
【００３４】
この第３実施形態は、足載置ブロック１３を暖める温熱、または冷やす冷熱を与える熱媒体が、温水または冷水を含んでいる。すなわち、足載置ブロック１３を暖める温熱、または冷やす冷熱を供給する熱媒体供給手段が、この油圧ショベルで生成された温水または冷水を導く温冷水配管１５を含んでいる。この温冷水配管１５は、例えば図示しないエンジン冷却水配管に接続されており、エンジン冷却水配管を流れる温水を導くようになっている。
【００３５】
また、足載置ブロック１３の例えば底面には、図９に示すように、上述した温冷水配管１５の一部が収容される収容部１３ｇを形成してある。その他の構成は、上述した第２実施形態におけるのと同等である。
【００３６】
このように構成した第３実施形態は、特に、ダクト１２を介して足載置ブロック１３に導かれた温風が、温冷水配管１５に導かれたエンジン冷却水配管の温水によってさらに暖められ、より優れた暖房効果が得られる。その他の作用効果は第２実施形態におけるのと同様である。
【００３７】
なお、この第３実施形態は、ダクト１２を設けて空調装置１１からの温風または冷風を足載置ブロック１３の空間部１３ｄに導く構成にしてあるが、温冷水配管１５によって導かれる温水または冷水によって足載置ブロック１３を十分に暖めることが、あるいは冷やすことが可能である場合には、ダクト１２を除いた構成にすることもできる。この場合には、温風または冷風を運転室２の前ガラスに吹き付ける別のダクト１４も除いた構成、あるいは別のダクト１４の形状、長さ寸法を適宜に設定して、この別のダクト１４を空調装置１１の吐き出し口１１ａに接続する構成となる。このように構成した場合には、足載置ブロックに温熱または冷熱を与える熱媒体は、主に温冷水配管１５によって導かれる温水または冷水となる。
【００３８】
また、上記では温冷水配管１５をエンジン冷却水配管に接続して温水を導くようにしたが、このように温冷水配管１５をエンジン冷却水配管に接続することには限られない。この油圧ショベルにおいて生成された温水または冷水を導きうるものに接続すればよい。
【００３９】
また、上記各実施形態は、足載置ブロック１３を運転室２の床２ａ上に配置してあるが、床２ａの面と、足載置ブロック１３の平坦部１３ｃを形成する面とが略同一の高さ面となるように、この足載置ブロック１３を運転室２の床２ａ内に埋め込むように配置するようにしてもよい。この場合には、例えば第１実施形態におけるダクト１２は上面部分に接続突起１２ｃを形成していたが、この接続突起１２ｃを足載置ブロック１３の立ち上がり部１３ｂの部分に対向するように先端部側に位置させ、この接続突起１２ｃと対向する足載置ブロック１３の立ち上がり部１３ｂに、接続突起１２ｃが嵌入される穴を形成する構成とすることもできる。同様に、第２，第３実施形態における別のダクト１４は上面部分に接続突起１４ａを形成していたが、この接続突起１４ａを足載置ブロック１３の立ち上がり部１３ｂに対向するように後端部側に位置させ、この接続突起１４ａと対向する足載置ブロック１３の立ち上がり部１３ｂの部分に、接続突起１４ａが嵌入される穴を形成する構成とすることもできる。
【００４０】
また、上記各実施形態では、足載置ブロック１３を皿形状に形成してあるが、本発明はこのように構成することには限られず、例えば上面の全体を立ち上がり部１３ｂを持たない平坦状に形成するようにしてもよい。
【図面の簡単な説明】
【００４１】
【図１】本発明に係る冷暖房装置が備えられる建設機械の一例として挙げた油圧ショベルを示す側面図である。
【図２】本発明の第１実施形態を示す側面図である。
【図３】図２に示す第１実施形態の平面図である。
【図４】第１実施形態の要部分解斜視図である。
【図５】図３のＡ−Ａ断面拡大図である。
【図６】本発明の第２実施形態を示す平面図である。
【図７】第２実施形態の要部分解斜視図である。
【図８】本発明の第３実施形態を示す平面図である。
【図９】図８のＢ−Ｂ断面拡大図である。
【符号の説明】
【００４２】
２    運転室
２ａ  床
２ｂ  運転席
１１    空調装置
１１ａ  吐き出し口
１２    ダクト（熱媒体供給手段）
１２ａ  吸い込み口
１２ｂ  ブラケット
１２ｃ  接続突起
１３    足載置ブロック
１３ａ  穴
１３ｂ  立ち上がり部
１３ｃ  平坦部
１３ｄ  空間部
１３ｅ  開口部
１３ｆ  穴
１３ｇ  収容部
１４    ダクト
１４ａ  接続突起
１４ｂ  ブラケット
１４ｃ  吹き出し口
１５    温冷水配管（熱媒体供給手段）
【図１】
2009120152.tif 000003
【図２】
2009120152.tif 000004
【図３】
2009120152.tif 000005
【図４】
2009120152.tif 000006
【図５】
2009120152.tif 000007
【図６】
2009120152.tif 000008
【図７】
2009120152.tif 000009
【図８】
2009120152.tif 000010
【図９】
2009120152.tif 000011